【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
独立に発光を制御可能な複数の発光ブロックからなる発光手段と、
入力される画像データに応じた透過率で前記発光手段から照射される光を透過させる表示パネルと、
を備え、測色用のパッチ画像が表示されたときの前記表示パネルの透過光の光センサによる測定値に基づいて測色が行われる画像表示装置であって、
前記発光手段の各発光ブロックに対応する前記表示パネルの表示領域である分割領域毎に画像データの統計量を算出する算出手段と、
各分割領域の画像データの統計量に応じた発光量で各分割領域に対応する発光ブロックを発光させる制御手段と、
前記表示パネルの表示領域における前記光センサによる透過光の測定が行われる領域である測定領域の位置の情報を取得する取得手段と、
を備え、
前記制御手段は、少なくとも前記測色が行われる期間において、前記測定領域を含まない分割領域に対応する発光ブロックについて、対応する分割領域の画像データの統計量に応じて発光量を変化させる際の変化の度合を、測定領域を含む分割領域に対応する発光ブロックからの距離が近いほど小さくすることを特徴とする画像表示装置。
【請求項２】
前記制御手段は、少なくとも前記測色が行われる期間において、測定領域を含む分割領域に対応する発光ブロックの発光量を、対応する分割領域の画像データの統計量によらず所定の発光量で固定する請求項１に記載の画像表示装置。
【請求項３】
前記所定の発光量は、最大の発光量である請求項２に記載の画像表示装置。
【請求項４】
前記制御手段は、少なくとも前記測色が行われる期間において、或る２つの分割領域の画像データの統計量が等しい場合、当該２つの分割領域に対応する発光ブロックのうち前記測定領域を含む分割領域に対応する発光ブロックからの距離が近い方の発光ブロックの発光量を、他方の発光ブロックの発光量以上に設定する請求項１〜３のいずれか１項に記載の画像表示装置。
【請求項５】
前記統計量は、各分割領域の画像データの明るさに正の相関を有する統計量であり、
前記制御手段は、各分割領域の画像データの統計量が大きいほど対応する発光ブロックの発光量が大きくなるように統計量に応じて発光量を変化させるものであって、少なくとも前記測色が行われる期間において、前記測定領域を含まない分割領域に対応する発光ブロックについては、統計量の最大値に対応する発光量を、測定領域を含む分割領域に対応する発光ブロックからの距離によらず最大の発光量とするとともに、統計量が最大値よりも小さい場合、統計量が小さくなるほど発光量を小さい値に変化させ、その際の統計量の変化に対する発光量の変化の度合を、測定領域を含む分割領域に対応する発光ブロックからの距離が近いほど小さくする請求項１〜４のいずれか１項に記載の画像表示装置。
【請求項６】
各分割領域の画像データに対して、各分割領域に対応する発光ブロックの発光量に応じた補正を行う補正手段を備える請求項１〜５のいずれか１項に記載の画像表示装置。
【請求項７】
前記統計量は、各分割領域の画像データの明るさに正の相関を有する統計量であり、
前記補正手段は、各分割領域の画像データに対して、画像データの統計量が大きいほど小さい値となるゲインを乗じる補正を行うものであって、少なくとも前記測色が行われる期間において、前記測定領域を含まない分割領域については、統計量の最大値に対応するゲインを測定領域を含む分割領域に対応する発光ブロックからの距離によらない固定値とするとともに、統計量が最大値よりも小さい場合、統計量が小さくなるほどゲインを大きい値に変化させ、その際の統計量の変化に対するゲインの変化の度合を、測定領域を含む分割領域に対応する発光ブロックからの距離が近いほど小さくする請求項６に記載の画像表示装置。
【請求項８】
前記表示パネルからの透過光を測定する光センサと、
前記光センサによる測定値に基づいて前記測色を行う測色手段と、
を備える請求項１〜７のいずれか１項に記載の画像表示装置。
【請求項９】
前記表示パネルからの透過光を測定する光センサと、
前記光センサによる測定値に基づいて前記測色を行う測色手段と、
を備える外部装置から、測色結果を取得する請求項１〜７のいずれか１項に記載の画像表示装置。
【請求項１０】
前記表示パネルは、光センサを所定の位置に設置可能であり、
前記所定の位置に基づき予め定まる前記測定領域の位置の情報を記憶する記憶手段を備え、
前記取得手段は、前記記憶手段から前記測定領域の位置の情報を取得する請求項１〜９のいずれか１項に記載の画像表示装置。
【請求項１１】
前記表示パネルは、光センサを任意の位置に設置可能であり、
光センサの受光面の大きさ以上の大きさの所定の測定用画像を含み、且つ、当該測定用画像の表示される位置が異なる複数の画像の各々が表示されたときの、前記表示パネルの透過光の前記光センサによる複数の測定値に基づき、前記測定領域の位置を推定する推定手段を備え、
前記取得手段は、前記推定手段から前記測定領域の位置の情報を取得する請求項１〜９のいずれか１項に記載の画像表示装置。
【請求項１２】
前記表示パネルは、光センサを任意の位置に設置可能であり、
前記取得手段は、光センサの受光面の大きさ以上の大きさの所定の測定用画像を含み、且つ、当該測定用画像の表示される位置が異なる複数の画像の各々が表示されたときの、前記表示パネルの透過光の前記光センサによる複数の測定値に基づき、前記測定領域の位置を推定する推定手段を備える外部装置から、前記測定領域の位置の情報を取得する請求
項１〜９のいずれか１項に記載の画像表示装置。
【請求項１３】
独立に発光を制御可能な複数の発光ブロックからなる発光手段と、
入力される画像データに応じた透過率で前記発光手段から照射される光を透過させる表示パネルと、
を備え、測色用のパッチ画像が表示されたときの前記表示パネルの透過光の光センサによる測定値に基づいて測色が行われる画像表示装置の制御方法であって、
前記発光手段の各発光ブロックに対応する前記表示パネルの表示領域である分割領域毎に画像データの統計量を算出する算出工程と、
各分割領域の画像データの統計量に応じた発光量で各分割領域に対応する発光ブロックを発光させる制御工程と、
前記表示パネルの表示領域における前記光センサによる透過光の測定が行われる領域である測定領域の位置の情報を取得する取得工程と、
を備え、
前記制御工程では、少なくとも前記測色が行われる期間において、前記測定領域を含まない分割領域に対応する発光ブロックについて、対応する分割領域の画像データの統計量に応じて発光量を変化させる際の変化の度合を、測定領域を含む分割領域に対応する発光ブロックからの距離が近いほど小さくすることを特徴とする画像表示装置の制御方法。
【請求項１４】
前記制御工程では、少なくとも前記測色が行われる期間において、測定領域を含む分割領域に対応する発光ブロックの発光量を、対応する分割領域の画像データの統計量によらず所定の発光量で固定する請求項１３に記載の画像表示装置の制御方法。
【請求項１５】
前記所定の発光量は、最大の発光量である請求項１４に記載の画像表示装置の制御方法。
【請求項１６】
前記制御工程では、少なくとも前記測色が行われる期間において、或る２つの分割領域の画像データの統計量が等しい場合、当該２つの分割領域に対応する発光ブロックのうち前記測定領域を含む分割領域に対応する発光ブロックからの距離が近い方の発光ブロックの発光量を、他方の発光ブロックの発光量以上に設定する請求項１３〜１５のいずれか１項に記載の画像表示装置の制御方法。
【請求項１７】
前記統計量は、各分割領域の画像データの明るさに正の相関を有する統計量であり、
前記制御工程では、各分割領域の画像データの統計量が大きいほど対応する発光ブロックの発光量が大きくなるように統計量に応じて発光量を変化させるものであって、少なくとも前記測色が行われる期間において、前記測定領域を含まない分割領域に対応する発光ブロックについては、統計量の最大値に対応する発光量を、測定領域を含む分割領域に対応する発光ブロックからの距離によらず最大の発光量とするとともに、統計量が最大値よりも小さい場合、統計量が小さくなるほど発光量を小さい値に変化させ、その際の統計量の変化に対する発光量の変化の度合を、測定領域を含む分割領域に対応する発光ブロックからの距離が近いほど小さくする請求項１３〜１６のいずれか１項に記載の画像表示装置の制御方法。
【請求項１８】
各分割領域の画像データに対して、各分割領域に対応する発光ブロックの発光量に応じた補正を行う補正工程を有する請求項１３〜１７のいずれか１項に記載の画像表示装置の制御方法。
【請求項１９】
前記統計量は、各分割領域の画像データの明るさに正の相関を有する統計量であり、
前記補正工程では、各分割領域の画像データに対して、画像データの統計量が大きいほど小さい値となるゲインを乗じる補正を行うものであって、少なくとも前記測色が行われ
る期間において、前記測定領域を含まない分割領域については、統計量の最大値に対応するゲインを測定領域を含む分割領域に対応する発光ブロックからの距離によらない固定値とするとともに、統計量が最大値よりも小さい場合、統計量が小さくなるほどゲインを大きい値に変化させ、その際の統計量の変化に対するゲインの変化の度合を、測定領域を含む分割領域に対応する発光ブロックからの距離が近いほど小さくする請求項１８に記載の画像表示装置の制御方法。
【請求項２０】
前記画像表示装置は、前記表示パネルからの透過光を測定する光センサを備え、
前記画像表示装置の制御方法は、前記光センサによる測定値に基づいて前記測色を行う測色工程を含む請求項１３〜１９のいずれか１項に記載の画像表示装置の制御方法。
【請求項２１】
前記表示パネルからの透過光を測定する光センサと、
前記光センサによる測定値に基づいて前記測色を行う測色手段と、
を備える外部装置から、測色結果を取得する工程を含む請求項１３〜１９のいずれか１項に記載の画像表示装置の制御方法。
【請求項２２】
前記表示パネルは、光センサを所定の位置に設置可能であり、
前記画像表示装置は、前記所定の位置に基づき予め定まる前記測定領域の位置の情報を記憶する記憶手段を備え、
前記取得工程では、前記記憶手段から前記測定領域の位置の情報を取得する請求項１３〜２１のいずれか１項に記載の画像表示装置の制御方法。
【請求項２３】
前記表示パネルは、光センサを任意の位置に設置可能であり、
前記画像表示装置の制御方法は、光センサの受光面の大きさ以上の大きさの所定の測定用画像を含み、且つ、当該測定用画像の表示される位置が異なる複数の画像の各々が表示されたときの、前記表示パネルの透過光の前記光センサによる複数の測定値に基づき、前記測定領域の位置を推定する推定工程を有し、
前記取得工程では、前記推定工程により前記測定領域の位置の情報を取得する請求項１３〜２１のいずれか１項に記載の画像表示装置の制御方法。
【請求項２４】
前記表示パネルは、光センサを任意の位置に設置可能であり、
前記取得工程では、光センサの受光面の大きさ以上の大きさの所定の測定用画像を含み、且つ、当該測定用画像の表示される位置が異なる複数の画像の各々が表示されたときの、前記表示パネルの透過光の前記光センサによる複数の測定値に基づき、前記測定領域の位置を推定する推定手段を備える外部装置から、前記測定領域の位置の情報を取得する請求項１３〜２１のいずれか１項に記載の画像表示装置の制御方法。
【手続補正２】
【補正対象書類名】明細書
【補正対象項目名】発明の名称
【補正方法】変更
【補正の内容】
【発明の名称】画像表示装置及びその制御方法
【手続補正３】
【補正対象書類名】明細書
【補正対象項目名】０００１
【補正方法】変更
【補正の内容】
【０００１】
本発明は、画像表示装置及びその制御方法に関するものである。
【手続補正４】
【補正対象書類名】明細書
【補正対象項目名】００１２
【補正方法】変更
【補正の内容】
【００１２】
独立に発光を制御可能な複数の発光ブロックからなる発光手段と、
入力される画像データに応じた透過率で前記発光手段から照射される光を透過させる表示パネルと、
を備え、測色用のパッチ画像が表示されたときの前記表示パネルの透過光の光センサによる測定値に基づいて測色が行われる画像表示装置であって、
前記発光手段の各発光ブロックに対応する前記表示パネルの表示領域である分割領域毎に画像データの統計量を算出する算出手段と、
各分割領域の画像データの統計量に応じた発光量で各分割領域に対応する発光ブロックを発光させる制御手段と、
前記表示パネルの表示領域における前記光センサによる透過光の測定が行われる領域である測定領域の位置の情報を取得する取得手段と、
を備え、
前記制御手段は、少なくとも前記測色が行われる期間において、前記測定領域を含まない分割領域に対応する発光ブロックについて、対応する分割領域の画像データの統計量に応じて発光量を変化させる際の変化の度合を、測定領域を含む分割領域に対応する発光ブロックからの距離が近いほど小さくすることを特徴とする画像表示装置である。
【手続補正５】
【補正対象書類名】明細書
【補正対象項目名】００１３
【補正方法】変更
【補正の内容】
【００１３】
独立に発光を制御可能な複数の発光ブロックからなる発光手段と、
入力される画像データに応じた透過率で前記発光手段から照射される光を透過させる表示パネルと、
を備え、測色用のパッチ画像が表示されたときの前記表示パネルの透過光の光センサによる測定値に基づいて測色が行われる画像表示装置の制御方法であって、
前記発光手段の各発光ブロックに対応する前記表示パネルの表示領域である分割領域毎に画像データの統計量を算出する算出工程と、
各分割領域の画像データの統計量に応じた発光量で各分割領域に対応する発光ブロックを発光させる制御工程と、
前記表示パネルの表示領域における前記光センサによる透過光の測定が行われる領域である測定領域の位置の情報を取得する取得工程と、
を備え、
前記制御工程は、少なくとも前記測色が行われる期間において、前記測定領域を含まない分割領域に対応する発光ブロックについて、対応する分割領域の画像データの統計量に応じて発光量を変化させる際の変化の度合を、測定領域を含む分割領域に対応する発光ブロックからの距離が近いほど小さくすることを特徴とする画像表示装置の制御方法である。